(57)【特許請求の範囲】
【請求項１】
デジタル放送波を受信アンテナで受信し，該受信アンテナからの信号を所定の信号処理することによってデジタル放送波として送信アンテナから再送信するように構成されたデジタル放送再送信装置の回り込み干渉を検出して防止するための監視方法において，
デジタル放送再送信装置は，少なくとも，前記受信アンテナで受信した信号を通過すると共に，その信号の一部を分岐させる信号分岐手段と，信号分岐手段の出力を所定レベルだけ減衰させる信号減衰手段と，信号減衰手段の出力を所定レベルまで増幅する信号増幅手段と，からなる信号処理部と，
該信号分岐手段の分岐出力から，所定の放送チャンネルの信号を選択的に選局すると共に，該放送チャンネルの信号から所定のデータを復調する選局・復調手段と，
該選局・復調手段において復調された所定のデータを処理して受信ビットエラーレートを算出すると共に，この結果から得られる受信ビットエラーレートと，予め設けられたビットエラーレートの所定基準値とを比較・判定し，この判定結果に基づいて信号増幅手段による増幅後の出力が所定レベルとなるように，前記信号減衰手段の減衰量を制御する監視・制御手段と，を備え，
該監視・制御手段は，受信ビットエラーレートが前記所定基準値と同じか小さいと判定された場合は，前記信号増幅手段による増幅後の出力が所定レベルとなるように，前記信号減衰手段の減衰量を制御する，
受信ビットエラーレートが前記所定基準値より大きいと判定された場合は，信号増幅手段による増幅後の出力が，前記所定レベルより所定量だけ低い運用レベルとなるように，信号号減衰手段の減衰量を制御する，
受信ビットエラーレートが前記所定基準値より大きいと判定された状態が所定のあいだ続いた場合は，前記信号減衰手段の減衰量を最大値にしてスケルチ動作させるように制御すると共に，前記所定基準値より大きいと判定された受信ビットエラーレートの値を第１の基準値として保存する，
該信号減衰手段がスケルチ動作している状態において，新たに取得した受信ビットエラーレートが前記第１の基準値より小さいと判定された場合は，まず，新たに取得した受信ビットエラーレートを第１の基準値の変わりに第２の基準値として保存すると共に，信号増幅手段による増幅後の出力が前記運用レベルとなるように，前記信号減衰手段の減衰量を制御する，
出力が運用レベルになった状態において，新たに取得した受信ビットエラーレートが前記第２の基準値より小さいと判定された場合は，信号増幅手段による増幅後の出力が，前記所定レベルとなるように制御する，
ことを特徴としたデジタル放送再送信装置の回り込み干渉を検出して防止するための監視方法。
【請求項２】
前記監視・制御手段は，信号増幅手段による増幅後の出力が，前記所定レベルより所定量だけ低い運用レベルとする信号号減衰手段の減衰量の制御，及び，信号増幅手段による増幅後の出力が，前記運用レベルより所定量だけ高い所定レベルとする信号号減衰手段の減衰量の制御をする時に，該所定量を段階的に複数回に分け，出力を段階的に可変するように制御することを特徴とした請求項１に記載のデジタル放送再送信装置の回り込み干渉を検出して防止するための監視方法。
【請求項３】
少なくとも，前記監視・制御手段による処理は，デジタル放送信号に付加されたガードインターバルの期間内で行うことを特徴とした請求項１又は請求項２に記載のデジタル放送再送信装置の回り込み干渉を検出して防止するための監視方法。
【請求項４】
前記デジタル放送再送信装置を複数備え，入力側には，前記受信アンテナで受信した信号を所定数に分配する分配手段を備え，出力側には，出力信号を合成する合成手段を備え，夫々のデジタル放送再送信装置に対して監視するように構成された請求項１乃至請求項３の何れか一項に記載のデジタル放送再送信装置の回り込み干渉を検出して防止するための監視方法。
【請求項５】
デジタル放送再送信装置の回り込み干渉を検出して防止するための監視方法に使用するプログラムにおいて，
請求項１乃至請求項４の何れか一項に記載のデジタル放送再送信装置の回り込み干渉を検出して防止するための監視方法を実行するための監視プログラム。
【請求項６】
デジタル放送波を受信アンテナで受信し，該受信アンテナからの信号を所定の信号処理することによってデジタル放送波として送信アンテナから再送信するように構成されたデジタル放送再送信装置において，
少なくとも，前記受信アンテナで受信した信号を通過すると共に，その信号の一部を分岐させる信号分岐手段と，信号分岐手段の出力を所定レベルだけ減衰させる信号減衰手段と，信号減衰手段の出力を所定レベルまで増幅する信号増幅手段と，からなる信号処理部と，
該信号分岐手段の分岐出力から，所定の放送チャンネルの信号を選択的に選局すると共に，該放送チャンネルの信号から所定のデータを復調する選局・復調手段と，
該選局・復調手段において復調された所定のデータを処理して受信ビットエラーレートを算出すると共に，この結果から得られる受信ビットエラーレートと，予め設けられたビットエラーレートの所定基準値とを比較・判定し，この判定結果に基づいて信号増幅手段による増幅後の出力が所定レベルとなるように，前記信号減衰手段の減衰量を制御する監視・制御手段と，を備え，
該監視・制御手段は，
受信ビットエラーレートが前記所定基準値と同じか小さいと判定された場合は，前記信号増幅手段による増幅後の出力が所定レベルとなるように，前記信号減衰手段の減衰量を制御し，
受信ビットエラーレートが前記所定基準値より大きいと判定された場合は，信号増幅手段による増幅後の出力が，前記所定レベルより所定量だけ低い運用レベルとなるように，信号号減衰手段の減衰量を制御し，
受信ビットエラーレートが前記所定基準値より大きいと判定された状態が所定のあいだ続いた場合は，前記信号減衰手段の減衰量を最大値にしてスケルチ動作させるように制御すると共に，前記所定基準値より大きいと判定された受信ビットエラーレートの値を第１の基準値として保存し，
該信号減衰手段がスケルチ動作している状態において，新たに取得した受信ビットエラーレートが前記第１の基準値より小さいと判定された場合は，まず，新たに取得した受信ビットエラーレートを第１の基準値の変わりに第２の基準値として保存すると共に，信号増幅手段による増幅後の出力が前記運用レベルとなるように，前記信号減衰手段の減衰量を制御し，
出力が運用レベルになった状態において，新たに取得した受信ビットエラーレートが前記第２の基準値より小さいと判定された場合は，信号増幅手段による増幅後の出力が，前記所定レベルとなるように制御する，
ことを特徴としたデジタル放送再送信装置。
【発明の詳細な説明】
【技術分野】
【０００１】
本発明は，地上デジタル放送を再送信する中継所におけるデジタル放送再送信装置に関し，詳しくはその再送信装置に備えた受信アンテナと送信アンテナ間の回り込みによる干渉を検出し防止するデジタル放送再送信装置の回り込み監視方法及び監視プログラムに関する。
【背景技術】
【０００２】
地上デジタル放送においては，電波障害地域への再送信装置として，ＳＦＮ（Ｓｉｎｇｌｅ  Ｆｒｅｑｕｅｎｃｙ  Ｎｅｔｗｏｒｋ）で再送信することが考えられている。この場合，再送信装置に備えられた送信アンテナから放射された電波が，再送信装置に備えられ親局からの電波を受信する受信アンテナ側に回り込めば，信号の劣化や最悪の場合には再送信装置が発振してしまうことがあり，これに対応するように，受信アンテナと送信アンテナ間の物理的距離を保ったり，回り込み現象を電気的にうち消したり，受信アンテナの特性改善などの方法が取られてきた。
例えば，信号処理用の中間周波数に周波数変換する第1の周波数変換手段と，該第1の周波数変換手段の出力を信号処理する中間周波信号処理手段と，該中間周波数信号処理手段の出力を前記受信したデジタル放送の周波数帯に周波数変換する第２の周波数変換手段と，前記第1の周波数変換手段及び第２の周波数変換手段の周波数変換のための信号を発生する局部信号発生手段とを備えたものが提案されており，この従来例の再送信装置においては，その使用目的が電波障害地域への再送信であり，その対象となる地域が狭く，再送信装置の出力電力が少なくて済むことから，受信アンテナと送信アンテナとの間に起こる回り込み現象の回避を行うために，受信アンテナと送信アンテナを物理的に離すことで，回り込み現象の回避を行うように構成されていた。
（例えば，特許文献１参照）
また，パイロット信号を用いて回り込み成分を補償するように構成された単一周波数放送波中継装置が提案されている。
（例えば，特許文献２参照）
【０００３】
【特許文献１】特開２００３−０６０９９７号公報
【特許文献２】特開２００４−３２８２８６号公報
【発明の開示】
【発明が解決しようとする課題】
【０００４】
しかし，特許文献１に示されるようなデジタル放送再送信装置によると，受信アンテナと送信アンテナとの間に起こる回り込み現象の回避を行なうために，受信アンテナと送信アンテナを物理的に離す対応をしているのであるが，余り離れすぎると設置場所の確保や，支持金具等への配慮が必要となりコスト的に不利である。更には，デジタル放送再送信装置が設置された後の運用時において，装置の特性の変化，周辺地域における建物や樹木等による環境変化に伴い，回り込み現象が発生してしまった場合，再送信対象の電波障害地域全域に受信障害が発生するといった問題があった。
また特許文献２に代表例として示されるような，パイロット信号を用いて回り込み成分を補償する中継装置においては，パイロット信号発生器や回り込み成分を補償するためのキャンセラー等が必要なため，回路が複雑であり，延いては再送信装置のコストが高いといった問題があった。
そこで本願においては，こうした問題点を解決するためになされたものであり，
その目的は，デジタル放送の再送信に適した安価で高性能なデジタル放送再送信装置と，そのデジタル放送再送信装置を実現するための回り込み監視方法及び監視プログラムを提供する事に有る。
他の目的は，簡単な構成で回り込み妨害に強いデジタル放送再送信装置を実現するための回り込み監視方法及び監視プログラムを提供する事に有る。
他の目的は，回り込みによる干渉を検出し防止することができるデジタル放送再送信装置の監視方法及び監視プログラムを提供する事に有る。
【課題を解決するための手段】
【０００５】
上記課題を解決するために，請求項１の発明は，デジタル放送波を受信アンテナで受信し，該受信アンテナからの信号を所定の信号処理することによってデジタル放送波として送信アンテナから再送信するように構成されたデジタル放送再送信装置の回り込み干渉を検出して防止するための監視方法において，デジタル放送再送信装置は，少なくとも，前記受信アンテナで受信した信号を通過すると共に，その信号の一部を分岐させる信号分岐手段と，信号分岐手段の出力を所定レベルだけ減衰させる信号減衰手段と，信号減衰手段の出力を所定レベルまで増幅する信号増幅手段と，からなる信号処理部と，該信号分岐手段の分岐出力から，所定の放送チャンネルの信号を選択的に選局すると共に，該放送チャンネルの信号から所定のデータを復調する選局・復調手段と，該選局・復調手段において復調された所定のデータを処理して受信ビットエラーレートを算出すると共に，この結果から得られる受信ビットエラーレートと，予め設けられたビットエラーレートの所定基準値とを比較・判定し，この判定結果に基づいて信号増幅手段による増幅後の出力が所定レベルとなるように，前記信号減衰手段の減衰量を制御する監視・制御手段と，を備え，該監視・制御手段は，受信ビットエラーレートが前記所定基準値と同じか小さいと判定された場合は，前記信号増幅手段による増幅後の出力が所定レベルとなるように，前記信号減衰手段の減衰量を制御する，受信ビットエラーレートが前記所定基準値より大きいと判定された場合は，信号増幅手段による増幅後の出力が，前記所定レベルより所定量だけ低い運用レベルとなるように，信号号減衰手段の減衰量を制御する，ことを特徴としている。
【０００６】
更に，請求項１の発明では，前記監視・制御手段は，受信ビットエラーレートが前記所定基準値より大きいと判定された状態が所定のあいだ続いた場合は，前記信号減衰手段の減衰量を最大値にしてスケルチ動作させるように制御すると共に，前記所定基準値より大きいと判定された受信ビットエラーレートの値を第１の基準値として保存する，該信号減衰手段がスケルチ動作している状態において，新たに取得した受信ビットエラーレートが前記第１の基準値より小さいと判定された場合は，まず，新たに取得した受信ビットエラーレートを第１の基準値の変わりに第２の基準値として保存すると共に，信号増幅手段による増幅後の出力が前記運用レベルとなるように，前記信号減衰手段の減衰量を制御する，出力が運用レベルになった状態において，新たに取得した受信ビットエラーレートが前記第２の基準値より小さいと判定された場合は，信号増幅手段による増幅後の出力が，前記所定レベルとなるように制御する，ことを特徴としている。
【０００７】
請求項２の発明は，請求項１に記載のデジタル放送再送信装置の回り込み干渉を検出して防止するための監視方法において，前記監視・制御手段は，信号増幅手段による増幅後の出力が，前記所定レベルより所定量だけ低い運用レベルとする信号号減衰手段の減衰量の制御，及び，信号増幅手段による増幅後の出力が，前記運用レベルより所定量だけ高い所定レベルとする信号号減衰手段の減衰量の制御をする時に，該所定量を段階的に複数回に分けることで，出力を段階的に可変するように制御する，ことを特徴としている。
【０００８】
請求項３の発明は，請求項１又は請求項２に記載のデジタル放送再送信装置の回り込み干渉を検出して防止するための監視方法において，少なくとも，前記監視・制御手段による処理は，デジタル放送信号に付加されたガードインターバルの期間内で行うことを特徴としている。
【０００９】
請求項４の発明は，請求項１乃至請求項３の何れか一項に記載のデジタル放送再送信装置の回り込み干渉を検出して防止するための監視方法において，前記デジタル放送再送信装置を複数備え，入力側には，前記受信アンテナで受信した信号を所定数に分配する分配手段を備え，出力側には，出力信号を合成する合成手段を備え，夫々のデジタル放送再送信装置に対して監視することを特徴としている。
【００１０】
請求項５の発明は，デジタル放送再送信装置の回り込み干渉を検出して防止するための監視方法に使用するプログラムにおいて，
請求項１乃至請求項４の何れか一項に記載のデジタル放送再送信装置の回り込み干渉を検出して防止するための監視方法を実行するための監視プログラムである。
また，請求項６の発明は，デジタル放送波を受信アンテナで受信し，該受信アンテナからの信号を所定の信号処理することによってデジタル放送波として送信アンテナから再送信するように構成されたデジタル放送再送信装置において，少なくとも，前記受信アンテナで受信した信号を通過すると共に，その信号の一部を分岐させる信号分岐手段と，信号分岐手段の出力を所定レベルだけ減衰させる信号減衰手段と，信号減衰手段の出力を所定レベルまで増幅する信号増幅手段と，からなる信号処理部と，該信号分岐手段の分岐出力から，所定の放送チャンネルの信号を選択的に選局すると共に，該放送チャンネルの信号から所定のデータを復調する選局・復調手段と，該選局・復調手段において復調された所定のデータを処理して受信ビットエラーレートを算出すると共に，この結果から得られる受信ビットエラーレートと，予め設けられたビットエラーレートの所定基準値とを比較・判定し，この判定結果に基づいて信号増幅手段による増幅後の出力が所定レベルとなるように，前記信号減衰手段の減衰量を制御する監視・制御手段と，を備え，該監視・制御手段は，受信ビットエラーレートが前記所定基準値と同じか小さいと判定された場合は，前記信号増幅手段による増幅後の出力が所定レベルとなるように，前記信号減衰手段の減衰量を制御し，受信ビットエラーレートが前記所定基準値より大きいと判定された場合は，信号増幅手段による増幅後の出力が，前記所定レベルより所定量だけ低い運用レベルとなるように，信号号減衰手段の減衰量を制御し，受信ビットエラーレートが前記所定基準値より大きいと判定された状態が所定のあいだ続いた場合は，前記信号減衰手段の減衰量を最大値にしてスケルチ動作させるように制御すると共に，前記所定基準値より大きいと判定された受信ビットエラーレートの値を第１の基準値として保存し，該信号減衰手段がスケルチ動作している状態において，新たに取得した受信ビットエラーレートが前記第１の基準値より小さいと判定された場合は，まず，新たに取得した受信ビットエラーレートを第１の基準値の変わりに第２の基準値として保存すると共に，信号増幅手段による増幅後の出力が前記運用レベルとなるように，前記信号減衰手段の減衰量を制御し，出力が運用レベルになった状態において，新たに取得した受信ビットエラーレートが前記第２の基準値より小さいと判定された場合は，信号増幅手段による増幅後の出力が，前記所定レベルとなるように制御する，ことを特徴としている。
【発明の効果】
【００１１】
請求項１の発明によれば，デジタル放送波を受信アンテナで受信し，該受信アンテナからの信号を所定の信号処理することによってデジタル放送波として送信アンテナから再送信するように構成されたデジタル放送再送信装置の回り込み干渉を検出して防止するための監視方法において，デジタル放送再送信装置は，少なくとも，前記受信アンテナで受信した信号を通過すると共に，その信号の一部を分岐させる信号分岐手段と，信号分岐手段の出力を所定レベルだけ減衰させる信号減衰手段と，信号減衰手段の出力を所定レベルまで増幅する信号増幅手段と，からなる信号処理部と，該信号分岐手段の分岐出力から，所定の放送チャンネルの信号を選択的に選局すると共に，該放送チャンネルの信号から所定のデータを復調する選局・復調手段と，該選局・復調手段において復調された所定のデータを処理して受信ビットエラーレートを算出すると共に，この結果から得られる受信ビットエラーレートと，予め設けられたビットエラーレートの所定基準値とを比較・判定し，この判定結果に基づいて信号増幅手段による増幅後の出力が所定レベルとなるように，前記信号減衰手段の減衰量を制御する監視・制御手段と，を備え，該監視・制御手段は，受信ビットエラーレートが前記所定基準値と同じか小さいと判定された場合は，前記信号増幅手段による増幅後の出力が所定レベルとなるように，前記信号減衰手段の減衰量を制御する，受信ビットエラーレートが前記所定基準値より大きいと判定された場合は，信号増幅手段による増幅後の出力が，前記所定レベルより所定量だけ低い運用レベルとなるように，信号号減衰手段の減衰量を制御する，ので，
設置後における周囲の環境の変化や，設置状態の変化，電気的特性の経年変化などによって，送信アンテナから受信アンテナに信号が回り込みが発生したとしても，これに伴って発生する「ビットエラーレート異常」による信号の劣化を常に監視することによって，「ビットエラーレート異常」が発生したら信号減衰手段を所定量制御し，送信アンテナから放射される出力レベルを所定量下げ，電波の回り込みを回避する，といった簡単且つ安価な方法で，回り込みによる信号の劣化や，最悪の場合，再送信装置が発振して装置を破壊してしまうことが防止できる。
【００１２】
そして更に，請求項１の発明によれば，前記監視・制御手段は，受信ビットエラーレートが前記所定基準値より大きいと判定された状態が所定のあいだ続いた場合は，前記信号減衰手段の減衰量を最大値にしてスケルチ動作させるように制御すると共に，前記所定基準値より大きいと判定された受信ビットエラーレートの値を第１の基準値として保存する，該信号減衰手段がスケルチ動作している状態において，新たに取得した受信ビットエラーレートが前記第１の基準値より小さいと判定された場合は，まず，新たに取得した受信ビットエラーレートを第１の基準値の変わりに第２の基準値として保存すると共に，信号増幅手段による増幅後の出力が前記運用レベルとなるように，前記信号減衰手段の減衰量を制御する，出力が運用レベルになった状態において，新たに取得した受信ビットエラーレートが前記第２の基準値より小さいと判定された場合は，信号増幅手段による増幅後の出力が，前記所定レベルとなるように制御する，ので，
設置後における周囲の環境の変化や，設置状態の変化，電気的特性の経年変化などによって，送信アンテナから受信アンテナに信号が回り込みが発生したとしても，これに伴って発生する「ビットエラーレート異常」による信号の劣化を常に監視することによって，「ビットエラーレート異常」が発生したら信号減衰手段を所定量制御し，送信アンテナから放射される出力レベルを所定量下げ，電波の回り込みを回避する，といった簡単且つ安価な方法で，回り込みによる信号の劣化や，最悪の場合，再送信装置が発振して装置を破壊してしまうことが防止できるばかりでなく，「ビットエラーレート異常」が親局と受信アンテナの間の系で発生する場合を判定して，出力レベルを停波することができ不要な電波が放出されるのを防止することができる。
また，入力のビットエラーレートを常時監視し，ビットエラーレートが回復したなら再送信を自動的に再開でき，施設管理のメンテナンスにかかる手間が省けるのである。
【００１３】
請求項２の発明によれば，請求項１に記載のデジタル放送再送信装置の回り込み干渉を検出して防止するための監視方法において，前記監視・制御手段は，信号増幅手段による増幅後の出力が，前記所定レベルより所定量だけ低い運用レベルとする信号号減衰手段の減衰量の制御，及び，信号増幅手段による増幅後の出力が，前記運用レベルより所定量だけ高い所定レベルとする信号号減衰手段の減衰量の制御をする時に，該所定量を段階的に複数回に分けることで，出力を段階的に可変するように制御する，ので，
出力レベルをいきなり停波するのではなく，出力レベルを段階的に所定量毎下げながら，送信アンテナから放射される電波を徐々に弱くなるように制御し，再送信を維持しつつ「ビットエラーレート異常」の回避処置ができる。
また，このように出力レベルを徐々に下げながら回り込み現象を回避することから，出力レベルを下げて回り込みを回避した状態では，再送信装置がフルパワーの時のサービスエリアと比べて，対象サービスエリアが僅かに狭いエリアをカバーする状態になるものの，回り込みのない信号で再送信を維持することができ，再送信の対象サービスエリアの全世帯が，回り込み現象による信号の劣化によって受信障害が起こることを防止できるのである。
【００１４】
請求項３の発明によれば，請求項１又は請求項２に記載のデジタル放送再送信装置の回り込み干渉を検出して防止するための監視方法において，少なくとも，前記監視・制御手段による処理は，デジタル放送信号に付加されたガードインターバルの期間内で行うので，
テレビの映像にブロックノイズがでたり，ブラックアウト（映像断）になったりすることがなく処理することができる。
【００１５】
請求項４の発明によれば，請求項１乃至請求項３の何れか一項に記載のデジタル放送再送信装置の回り込み干渉を検出して防止するための監視方法において，前記デジタル放送再送信装置を複数備え，入力側には，前記受信アンテナで受信した信号を所定数に分配する分配手段を備え，出力側には，出力信号を合成する合成手段を備え，夫々のデジタル放送再送信装置に対して監視するので，
複数チャンネルの再送信装置を提供できる。
【００１６】
請求項５の発明によれば，デジタル放送再送信装置の回り込み干渉を検出して防止するための監視方法に使用するプログラムにおいて，請求項１乃至請求項４の何れか一項に記載のデジタル放送再送信装置の回り込み干渉を検出して防止するための監視方法を実行するように構成したので，デジタル放送再送信装置を簡単な構成で実現できる。
また，請求項６の発明によっても，請求項１の発明について述べた効果が得られる。
【発明を実施するための最良の形態】
【００１７】
以下に，本発明を具体化した実施形態の例を，図面を基に詳細に説明する。
図１は本発明の第１実施形態におけるデジタル放送再送信装置の概略ブロック図であり，図２は本発明の第１実施形態に備えた監視・制御手段おける信号処理を示すフローチャートの一例を示す。
尚，以下の実施例において，特に明記しない限り同一機能有するものは同一符号を付与し，詳細な説明は省略する。
【実施例１】
【００１８】
図１は本発明の第１実施形態におけるデジタル放送再送信装置の構成を示す概略ブロック図である。図１において１はデジタル放送再送信装置であり，２は受信アンテナ，３は送信アンテナである。高周波信号の経路は，少なくとも，信号分岐手段１１，信号減衰手段１５，信号増幅手段１８から構成されており，データ信号の経路は，選局・復調手段１２，監視・制御手段１３から構成されている。尚，２８は信号処理手段であり，本発明の実施形態においてはこの信号処理手段はフィルタ手段である。
【００１９】
次にデジタル放送再送信装置１の詳細について説明する。受信アンテナ２は地上デジタル放送波，所謂ＵＨＦ帯の電波を受信するためのアンテナであり，本発明の実施形態においては，例えば指向特性の優れたパラボラアンテナを用いることによって，受信アンテナ後方からの電波を遮断できるのである。受信アンテナ２で受信された地上デジタル放送波の信号は，この信号を通過して出力すると共に，その信号の一部を分岐させる信号分岐手段１１に入力されている。この信号分岐手段１１は，例えばフェライトコアにポリウレタン線を巻回してなる分岐トランスを備えた分岐回路から構成されている。
前記信号分岐手段１１からの出力は信号処理手段２８に入力される。この信号処理手段２８は信号の通過を制限したり信号補償をしたりするためのものであり，本発明の実施形態では，例えば所定帯域の信号を選択的に通過させ，所定帯域外は阻止するフィルタ手段から構成されている。このフィルタ手段２８を通過した信号は，該出力を所定レベルだけ減衰させる信号減衰手段１５に入力される。この信号減衰手段１５は，本発明の実施形態では，例えば高周波素子としてのＰＩＮダイオードなどから構成され，電圧の制御によって減衰量を適宜に可変できるように構成されるものである。
この信号減衰手段１５からの出力は，例えば高周波素子としてのダイオードやＩＣから構成される高周波信号増幅用の信号増幅手段１８において適宜に増幅され，送信アンテナ３に供給され，送信アンテナ３からデジタル放送波として放射されるのである。
尚，本発明の第１実施形態においては，少なくとも，前記信号分岐手段１１，信号減衰器１５，信号増幅手段１８で請求項に記載の信号処理部１０を構成している。
【００２０】
次に，選局・復調手段１２は，前記信号分岐手段１１の分岐出力から地上デジタル放送波を受入れ，この放送波の中から所定の放送チャンネルの信号を選択的に選局すると共に，該放送チャンネルに含まれる信号から所定のデータを復調する，所謂チューナーである。
本発明の実施形態においては，該選局・復調手段１２からは，受信アンテナ２で受信した信号のＢＥＲ（Ｂｉｔ  Ｅｒｒｏｒ  Ｒａｔｅ：ビット誤り率のこと。以下ＢＥＲと記載する。）を求めるための基本となるデータを得るものである。
【００２１】
監視・制御手段１３は，前記選局・復調手段１２において復調された所定のデータ（本発明の実施例ではＢＥＲの基になる基本データ）を取得して，該データからＢＥＲを算出すると共に，この結果から得られたＢＥＲと，監視・制御手段１３に予め設けられたＢＥＲの所定基準値とを比較・判定し，この結果に基づいて前記信号減衰手段１５の減衰量を制御するための制御電圧を生成するように構成されている。
即ち，本発明の第１実施形態の監視・制御手段１３は，取得したＢＥＲが所定基準値と同じ（変化なし）か小さい（良い）と判定した場合は，前記信号増幅手段１８による増幅後の出力が所定レベルとなるように，前記信号減衰手段１５の減衰量を制御し，該ＢＥＲが所定基準値より大きい（悪い）と判定した場合は，前記信号増幅手段１８による増幅後の出力が所定レベルより所定の量だけ低くなるように，前記信号減衰手段１５の減衰量を制御する，ように構成されているのである。
尚，本発明の実施例では，１系統の再送信装置からなる例を示したが，信号処理部１０の入力側に分配器，出力側に混合器を備え複数系列となるように構成してもよい。
【００２２】
ここで，前記監視・制御手段１３の動作の一例について，図２に示されるフローチャートを用いて説明する。
Ｓ１０はデジタル放送再送信装置の初期状態を示し，信号減衰手段１５の減衰量は最小値となるよう設定されている。次にＳ１２において，受信アンテナで受信した信号から選局・復調手段１２が取得したデータを使ってＢＥＲを算出する。Ｓ１４では，算出したＢＥＲの値が，監視・制御手段１３に予め設けられた所定基準値より大きい（ＢＥＲが悪い）か，小さいか（ＢＥＲが良い）を判定する。このとき受信している信号のＢＥＲが所定基準値と同じか小さいと判定されたならＳ１０に戻り，ＢＥＲの監視を継続して行なう。この監視は，予めＢＥＲを測定するタイミングを任意に設定できるように構成されており，所定時間毎に継続的に監視できるようになっている。
【００２３】
次に，Ｓ１４において受信している信号のＢＥＲが所定基準値より大きいと判定されたならＳ１６に進み，「ＢＥＲ異常」の発生を知らせるための警告信号を発生する。この「ＢＥＲ異常」の警告信号は，再送信装置に備えた図には示されていない例えばＬＥＤなどからなる表示手段を点灯させることによって，再送信装置に「ＢＥＲ異常」を表示させるためのものであったり，また，この「ＢＥＲ異常」の警告信号を基に，再送信装置に備えた端末装置から公衆電話ネットワークを通じて，施設の管理者に「ＢＥＲ異常」を通知するように利用したりするためのものである。尚，この「ＢＥＲ異常」の警告信号は，「ＢＥＲ異常」が一度検出されたら継続的に出力するようにしても良いし，所定時間経過するまで出力を継続するようにしてもよい。
【００２４】
次に，Ｓ１８では，ＢＥＲ測定において「ＢＥＲ異常」が検出された測定回数をカウントする。更にＳ２０では，「ＢＥＲ異常」が測定された測定回数に対する良否の判定基準として，予め任意の第１の基準回数ｎ（回）が設定されており，「ＢＥＲ異常」が検出された測定回数が所定の第１の基準回数ｎ（回）を超えないときはＳ２０２に進み，「ＢＥＲ異常」が継続的なものか一時的なものかを判定するために，信号減衰手段１５を制御して増幅後の出力レベルを変化させ，改めてＢＥＲを測定する。即ち，本発明の実施例においては，「ＢＥＲ異常」が最初（測定回数１回目）に確認されたなら，監視・制御手段１３から信号減衰手段１５の減衰量を所定量α（ｄＢ）だけ大きくする（出力レベルを下げる）ように制御信号を生成して出力する。次にこうして出力レベルを所定量下げたならＳ１２に戻り，改めて選局・復調手段１２からデータを取得してＢＥＲの算出を行なうのである。
【００２５】
次にＳ１４において改めて取得したＢＥＲが正常値内にあれば，Ｓ１０に戻って監視を継続する。またＳ１４において改めて取得したＢＥＲが再度異常値を示せば，Ｓ１６において「ＢＥＲ異常」の警告信号を継続して発生すると共に，Ｓ１８において「ＢＥＲ異常」が２回目であることをカウントし，信号減衰手段１５の減衰量を２α（ｄＢ）だけ大きくしてＳ１２にもどる。そして，Ｓ２０において「ＢＥＲ異常」の測定回数が第１の基準回数ｎ（回）になるまでこの動作を繰り返し行なう。従って，「ＢＥＲ異常」の測定回数がｎ回認められたとするならば，信号減衰手段１５の減衰量はα×ｎ（ｄＢ）となり，それだけ出力レベルが下げられて放射されるのである。
【００２６】
つぎに，Ｓ２０において「ＢＥＲ異常」の測定回数が第１の基準回数ｎ（回）を越えてｎ＋１（回）になったと判定されたならば，Ｓ２２において信号減衰手段１５の減衰量を最大値とする制御信号を出力することで，信号減衰手段１５はスケルチ回路として動作する。更にＳ２４では，「ＢＥＲ異常」の測定回数がｎ＋１(回)のときに取得されたＢＥＲを第１の基準値としてメモリする。それから，Ｓ２６において再送信装置が出力停止状態にあることを通知するための「出力停止」の警告信号を発生する。この「出力停止」の警告信号も，上述の「ＢＥＲ異常」の警告信号と同様に，再送信装置に備えた表示手段を表示させるために使用しても良いし，公衆電話ネットワークを介して施設管理者に通報するために使ってもよい。
【００２７】
尚，上記実施形態においては，出力レベルを順次下げていって回り込み量を変化させ，ＢＥＲが改善するポイントに出力レベルを設定する例を示したが，特にこの実施例に限定されるものではなく，ＢＥＲが所定基準値より大きいと判定されたなら出力レベルを一度に所定量（例えば，上述した減衰量α×ｎ（ｄＢ）に相当する量）下げるように構成してもよいし，更にこれに加えて，出力レベルが所定量下がった状態からＢＥＲを監視しながら徐々に出力レベルを上げつつＢＥＲが所定基準値以内を維持できるポイントに設定するようにしてもよいなど，ＢＥＲの測定結果に基づいて出力レベルを所定量変化させるようにすれば，特に実施形態に限定されるものではない。
また，監視・制御手段１３による出力レベルを所定レベルに設定するまでに至る一連の処理時間を，例えばＣＰＵの動作周波数が高く処理能力の高いものを使うことによって，デジタル放送信号に付加されたガードインターバルの期間（１２６μｓ）内で行うようにすれば，テレビの映像にブロックノイズがでたり，ブラックアウト（映像断）になったりすることがなく処理することができる。また，処理能力が高いものを使うことによって処理回数を増やすことができる。
【００２８】
次に出力停止状態となった後の動作状態を示す。本発明の実施形態においては，出力停止状態にあっても入力におけるＢＥＲの監視は継続されるように構成されている。
Ｓ３０のタイマ回路において，スケルチ回路が動作してから所定時間が経過したなら，選局・復調手段１２から得られる最新データを使ってＳ３２でＢＥＲを再計算する。更に，Ｓ３４では，このＳ３２において再測定されたＢＥＲと，Ｓ２４においてメモリされた第１の基準値としてのＢＥＲとを比較し，Ｓ３２において再測定されたＢＥＲが，Ｓ２４においてメモリされた第１の基準値と同じか大きいと判定された（ＢＥＲに改善が見られない）ならＳ３０６に進む。
Ｓ３０６では，Ｓ３２において再測定されたＢＥＲが，前記所定基準値より大きいと判断されたならＳ２２に戻り信号減衰手段の減衰量を最大値とするスケルチ動作の状態でＢＥＲの監視を継続する。またＳ３０６では，Ｓ３２において再測定されたＢＥＲが，前記所定基準値より小さいと判断されたならＳ３０に戻りＢＥＲの監視を継続して行なう。
【００２９】
次に，Ｓ３４では，Ｓ３２において再取得されたＢＥＲが，Ｓ２４においてメモリされた第１の基準としてのＢＥＲより小さい（ＢＥＲが改善した）と判定されたならＳ３６に進む。Ｓ３６では，Ｓ２４においてメモリされた第１の基準値としてのＢＥＲをリセットすると共に，Ｓ３２において再計算されたＢＥＲを新たに第２の基準値としてメモリするのである。更に，Ｓ３８では再算出したＢＥＲとメモリされたＢＥＲとの比較によって，新たに取得したＢＥＲが改善していることが確認された回数をカウントする。
更にＳ４０では，このカウントに対する判定基準として，予め任意の第２の基準回数ｎ（回）が設定されている。この第２の基準回数はＳ２０において定めた第１の基準回数と同数となるように設定されており，ＢＥＲ改善確認が所定の第２の基準回数ｎ（回）を超えない内は，Ｓ４０２で信号減衰手段１５の減衰量の制御を行ない，Ｓ３２においてＢＥＲの再測定を行なう，と言った一連の動作を繰り返し行ない，ＢＥＲが回復傾向にあるのかどうかを判定する。
【００３０】
即ち，Ｓ４０２では，スケルチ動作状態になって所定時間経過後の再測定時に，ＢＥＲが回復傾向にあると確認（１回目）されたなら，信号減衰手段１５の減衰量を，Ｓ２２において設定された最大値（スケルチ動作状態）からα×ｎ（ｄＢ）となるように制御し，送信アンテナから電波が再送信されるようにする。これに伴い，Ｓ４０４において「出力停止」の警告信号の発生を解除し，再送信を再開したことを表示手段に表示したり管理者に通知したりする。次にこうして出力レベルを上げたならＳ３２に戻り，改めて選局・復調手段１２からデータを取得して出力レベルを上げた状態における入力信号のＢＥＲの算出を行なうのである。次にＳ３４において出力レベルを上げた状態で新たに取得したＢＥＲが，メモリされている第２の基準値としてのＢＥＲより大きいならＳ３０６に進む。Ｓ３０６では，出力を上げた状態で新たに取得したＢＥＲと前記所定基準値を比較して，出力を上げた状態で新たに取得したＢＥＲが，前記所定基準値より大きいと判断されたならＳ２２に戻り信号減衰手段の減衰量を最大値とするスケルチ動作の状態でＢＥＲの監視を継続する。また，Ｓ３２において出力を上げた状態で新たに取得したＢＥＲが，前記所定基準値より小さいと判断されたなら，信号減衰手段１５の減衰量をＳ４０２でセットしたα×ｎ（ｄＢ）を維持したままＳ３０に戻りＢＥＲの監視を継続して行なう。
【００３１】
またＳ３４において出力レベルを上げた状態で新たに取得したＢＥＲが，メモリされているＢＥＲより小さい値を示し，「ＢＥＲ改善」が確認（２回目）されれば，Ｓ３６でメモリされている第２の基準値としてのＢＥＲをリセットすると共に，出力レベルを上げた状態で新たに取得したＢＥＲの値を新たにメモリする。更にＳ３８では，「ＢＥＲ改善」確認の回数をカウントする。この例では，スケルチ回路が動作した後で，最初にＢＥＲの改善が確認されたときが１回目の「ＢＥＲ改善」確認であり，最初に出力レベルを上げたときがＢＥＲの改善が確認されたなら２回目の「ＢＥＲ改善」確認となる。そして「ＢＥＲ改善」確認回数が第２の基準回数ｎ（回）になるまでこの動作を繰り返し行なうのである。つまり，Ｓ４０２では，Ｓ３８における「ＢＥＲ改善」確認のカウントに基づいて，カウントが１ならば信号減衰手段１５の減衰量をα×ｎ（ｄＢ）に，カウントが２ならばα×ｎ−α（ｄＢ）に，カウントが３ならばα×ｎ−２α（ｄＢ）・・・，カウントが第２の基準回数ｎ（回）になったときはα×ｎ−α×（ｎ−１）（ｄＢ）となるように可変し，出力レベルを徐々に高くし，Ｓ３２でＢＥＲの値を確認すると共に再送信電波の放射を再開するように制御されるのであるのである。
【００３２】
Ｓ４０において「ＢＥＲ改善」確認がｎ＋１となったら，Ｓ４２において信号減衰手段の減衰量を最小値に制御し，Ｓ４４で「ＢＥＲ異常」の警告信号の解除信号を発生し，ＢＥＲが正常である旨を表示手段に表したり，管理者に通知したりするのである。こうして「ＢＥＲ異常」が検出されない状態になったらＳ１０に戻り，引き続きＢＥＲの監視を継続するのである。
【００３３】
このスケルチ状態における出力レベル制御は，出力レベルを順次上げていって回り込み量を変化させ，ＢＥＲが改善するポイントに出力レベルを設定する例を示したが，特にこの実施例に限定されるものではなく，ＢＥＲが所定基準値より小さいと判定されたなら出力レベルを一度に所定量を上げるように構成してもよい。
また，上述した監視・制御手段１３による出力レベルを所定レベルに設定するまでに至る一連の処理時間を，例えばＣＰＵの動作周波数が高く処理能力の高いものを使うことによって，デジタル放送信号に付加されたガードインターバルの期間（１２６μｓ）内で行うようにすれば，テレビの映像にブロックノイズがでたり，ブラックアウト（映像断）になったりすることがなく処理することができる。また，処理能力が高いものを使うことによって処理回数を増やすことができる。
【００３４】
ここでこのように構成されたデジタル放送再送信装置１の作用効果を説明する。本発明のデジタル放送再送信装置１は，地上デジタル放送において，電波障害地域への再送信装置として好適なものであり，ＳＦＮで再送信することが考えられている。この場合，再送信装置１に備えられた送信アンテナ３から放射された電波が，再送信装置１に備えられ親局からの電波を受信する受信アンテナ２側に回り込めば，信号の劣化や最悪の場合には再送信装置が発振してしまうことがある。これに対応するには，受信アンテナと送信アンテナ間の物理的距離を保つことによって対応できるのであるが，余り離れすぎると設置場所の確保や，支持金具等への配慮が必要となりコスト的に不利になる。更には，デジタル放送再送信装置１が設置された後の運用時において，特性の変化や周辺地域における建物や樹木等による環境変化に伴い，回り込み現象が発生してしまう場合が考えられ，これによって再送信対象の電波障害地域全体に受信障害が発生してしまうのである。
【００３５】
そこで，本発明においては，回り込み現象が発生したときの状態において，地上デジタル放送の受信信号から得られるデータの中で，特に受信画像に大きく影響を与えるＢＥＲの変化に着目し，そのＢＥＲの劣化によって画像に影響がでる限界値を，予め監視・制御手段１３に所定基準値として設けておいて，入力におけるＢＥＲを選局・復調手段１２と監視・制御手段１３とで常に監視状態におくと共に，その監視から得られたデータと所定基準値とを比較・判定し，「ＢＥＲ異常」が発生したと判定されたのならば，出力レベルを所定量毎に下げ，回り込みによる信号の劣化を回避するように構成されているのである。
【００３６】
更に，出力レベルを所定量下げても「ＢＥＲ異常」が改善されないなら，親局と受信アンテナとの間の系で「ＢＥＲ異常」や，再送信装置自体の不良が考えられるので，所定の処理を経過した後にスケルチ回路を動作させて，出力から不要な電波が放射されることが防止できるのである。
【００３７】
更に，スケルチ回路が動作した状態であっても，入力におけるＢＥＲを継続的に監視し，「ＢＥＲ異常」が認められなくなったなら，改めてＢＥＲ異常が発生しないかを確認しながら出力レベルを所定量毎に少しずつ上げていくことによって，自動的に再送信を復旧できるように構成されているのである。 
【００３８】
つまり，本発明のデジタル放送再送信装置１によれば，設置後における周囲の環境の変化や，設置状態の変化，電気的特性の経年変化などによって，送信アンテナ３から受信アンテナ２に信号が回り込むことによる信号の劣化が発生したとしても，これに伴って発生する入力信号の「ＢＥＲ異常」を常に監視することによって，「ＢＥＲ異常」が確認されたのなら，出力レベルを所定量下げることで送信アンテナ３から放射される電波を弱くし，回り込み現象を回避できるように構成したので，簡単且つ安価な方法で，回り込みによる信号の劣化や再送信装置が発振して装置を破壊してしまうことが防止できるのである。
【００３９】
また，出力レベルをいきなり停波するのではなく，出力レベルを段階的に所定量毎に下げながら，送信アンテナ３から放射される電波を徐々に弱くなるように制御し，回り込み現象を回避できるかどうかを確認するように構成したので，「ＢＥＲ異常」の発生原因が回り込みに起因するのか，親局と受信アンテナ２の間の系で発生しているのかが容易に分かるのである。また，「ＢＥＲ異常」が親局と受信アンテナ２の間の系で発生している場合や，機器自体の不調で回避できないと判断されたらスケルチ回路が動作し，不要な電波を放射して妨害を与えることがないのである。
【００４０】
また，このように出力レベルを徐々に下げながら回り込み現象を回避するように構成されていることから，出力レベルを下げて回り込みを回避した状態では，再送信装置がフルパワーの時のサービスエリアと比べて，対象サービスエリアが僅かに狭いエリアをカバーする状態になるものの，回り込みのない信号で再送信を維持することができ，再送信の対象サービスエリアの全世帯が，回り込み現象による信号の劣化によって受信障害が起こることを防止できるのである。
【００４１】
更に，「ＢＥＲ異常」が検出された場合，再送信装置に備えた表示手段にや「ＢＥＲ異常」を表示したり，公衆電話ネットワークを介して施設管理者が持つ携帯電話に警告したりするための「ＢＥＲ異常」の警告信号を発生するようにしたことによって，「ＢＥＲ異常」に対する対応が素早くできるのである。
また「ＢＥＲ異常」が回避できない状態が続いたとき，つまり，出力レベルの制御だけでは回避されない場合や，親局と受信アンテナ間での系で「ＢＥＲ異常」が起こっているような場合は，所定時間後に信号減衰手段１５はスケルチ回路としてその減衰量を最大値とするように構成すると共に，「出力停止」の警告信号を再送信装置１に備えた表示手段や，公衆電話ネットワークを使って施設管理者の携帯電話等に通報することができ，「出力停止」に対して素早く対処することができるのである。
【００４２】
更に，スケルチ回路が動作した状態であっても，入力におけるＢＥＲを継続的に監視し，「ＢＥＲ異常」が認められなくなったなら，スケルチ回路を解除し，出力レベルを所定量毎に少しずつ上げながら，改めて回り込みによるＢＥＲ異常が発生しないかどうかを確認しながら再送信を自動的に復旧すると共に，その復旧状態に合わせて出力停止の解除の通知，ＢＥＲ正常の通知を表示手段に表示したり，施設管理者に連絡したりすることができ，，施設管理のメンテナンスにかかる手間が省けるのである。
尚，本発明は上記実施の形態に限定されるものではなく，本発明の趣旨を逸脱しない範囲で各部の構成を適宜に変更して実施することも可能である。
【図面の簡単な説明】
【００４３】
【図１】本発明に係る第１実施形態の概略ブロック図を示す。
【図２】本発明に係る第１実施形態に備えた監視・制御手段の動作を示すフローチャートの一例である。
【００４４】
１…デジタル放送再送信装置，２…受信アンテナ，３…送信アンテナ，５…分配手段，６…混合手段，１０…信号処理装置，１１…信号分岐手段，１２…選局・復調手段，１３…監視・制御手段，１５…信号減衰手段，１８…信号増幅手段，２８…信号処理手段（フィルタ手段）。
【図１】
0004758236.tif 000002
【図２】
0004758236.tif 000003